(57)【要約】【課題】ネットワークを介して、ワークステーションから出力される印刷情報を受信して記録装置に記録させる記録装置のパワーセーブを効率的に行えるようにすることである。【解決手段】ネットワーク１０４を介して、複数のワークステーション１００，１０１から出力される印刷情報をプリンタ１０３との間で送受信し、プリンタ１０３に内蔵されたネットワークインタフェース装置１０２によって、プリントデータの出力が終了したり、受信データがない未使用状態のプリンタ１０３のパワーセーブを効率的に行る構成を特徴とする。【選択図】　　　　図１
2004017387.tif 000002
【特許請求の範囲】
【請求項１】
ネットワークを介して、ワークステーションから出力される印字情報を受信し、印字装置に該印字情報を記録させるネットワークインタフェース装置において、
前記ワークステーションとの間でネットワークを介して、制御情報および印字情報を通信するネットワーク制御手段と、
ネットワークからの受信データに含まれる宛先アドレスと該ネットワークインタフェース装置の持つネットワークアドレスの一致を検出する一致検出手段と、
前記印字装置と接続され、制御情報／印字情報を通信する対プリンタインタフェース手段と、
該ネットワークインタフェース装置を制御するネットワークインタフェース制御手段と、
該ネットワークインタフェース制御手段の管理下にある記憶手段と、
該ネットワークインタフェース制御手段に接続される印字装置から得られる印字の完了情報を検知する検知手段と、
前記印字の完了情報と前記一致情報を元に該ネットワークインタフェース装置の一部に対するクロック供給をオン／オフ制御するオン／オフ制御手段と、
前記オン／オフ制御手段により前記印字の完了情報を検知した後、更に前記一致情報と前記記憶手段内の制御情報／印字情報の無い事を判断し、処理すべき情報が検出されなければ、前記オン／オフ制御手段により、前記クロック供給を停止するクロック供給停止手段とを有し、
前記一致手段により、一致が得られれば、前記オン／オフ制御手段により、前記クロック供給を開始する事を特徴とするネットワークインタフェース装置。
【請求項２】
請求項１に記載のネットワークインタフェース装置であって、
実時間計時手段と、
前記実時間計時手段への実時間設定手段と、
前記実時間計時手段からの実時間読み出し手段と、
前記読み出し手段により読み出した実時間データに基づいて前記オン／オフ制御手段を有効／無効ならしめる手段と、
前記無効ならしめる手段は、前記オン／オフ制御手段がオンの時のみ動作する事を特徴とするネットワークインタフェース装置。
【請求項３】
請求項１又は２に記載のネットワークインタフェース装置であって、
前記ネットワークと該ネットワークインタフェース装置間の通信スピードを監視する手段とを備え、
前記通信スピードによって、前記ネットワークインタフェース装置の一部に対し、供給する前記クロックの周波数を変更する事を特徴とするネットワークインタフェース装置。
【発明の詳細な説明】
【０００１】
【発明の属する技術分野】
本発明は、ネットワークインタフェース装置に関し、特に、ワークステーションからのプリントデータの出力が終了した未使用状態にある部分の電力消費を低減するために、使用していない部分の当該装置と記録装置の電力消費を抑えるためのパワーセーブモードを備えたネットワークインタフェース装置に関する。
【０００２】
【従来の技術】
近年、オフィスや事業所等の構内に、ローカルエリアネットワーク（以下、単にＬＡＮという）と、そのＬＡＮに接続された複数のコンピュータと、プリンタから構成されたネットワークシステムを構築して、プリンタの共有化を図るようにしている。
【０００３】
このプリンタはネットワークによってワークステーションに接続され、該ワークステーションからネットワークを介してプリント依頼されたプリントデータをプリンタ出力することにより、複数のワークステーションに対して１台のプリンタを共有することができるようになっている。
【０００４】
一方、近時の記録装置にあっては、プリントデータの出力が終了したり、あるいは受信データがない未使用状態の記録装置の電力消費を抑えるために、使用していない装置部分（駆動ローラやサーマルヘッド等の印字に際して駆動される部分）に電力を供給しないようにしたパワーセーブモードを備えたものが出現しており、このような記録装置にあっては、プリントデータを受信しない時間を一定時間（例えば、３分）だけ監視し、その時間内にプリントデータを受信しないときにパワーセーブモードに入るようになっている。
【０００５】
【発明が解決しようとする課題】
しかしながら、このような従来の記録装置にあっては、一定時間内にプリントデータを受信しないときにパワーセープモードに入るようになっていたため、このような記録装置を多数のワークステーションからプリントデータを受信するローカルエリアネットワークの共有資源として使用した場合に、効率的に記録装置のパワーセーブを行なうことができないという問題が生じてしまう。
【０００６】
また、従来の記録装置にあっては、パワーセープモードを解除するに際しては、ワークス処理を行なうようになっていたため、印刷時間が非常に長くなってしまうという問題点もあった。
【０００７】
本発明は、上記の問題点を解決するためになされたもので、記録装置を多数のワークステーションからプリントデータを受信するローカルエリアネットワークの共有資源として使用された場合でも効率的に記録装置のパワーセーブを行えるようにするとともに、短時間で印刷処理を行えるようにしたネットワークインタフェース装置を提供することを目的とするものである。
【０００８】
【課題を解決するための手段】
本発明に係る第１の発明は、ネットワークを介して、ワークステーションから出力される印字情報を受信し、印字装置に該印字情報を記録させるネットワークインタフェース装置において、前記ワークステーションとの間でネットワークを介して、制御情報および印字情報を通信するネットワーク制御手段と、ネットワークからの受信データに含まれる宛先アドレスと該ネットワークインタフェース装置の持つネットワークアドレスの一致を検出する一致検出手段と、前記印字装置と接続され、制御情報／印字情報を通信する対プリンタインタフェース手段と、該ネットワークインタフェース装置を制御するネットワークインタフェース制御手段と、該ネットワークインタフェース制御手段の管理下にある記憶手段と、該ネットワークインタフェース制御手段に接続される印字装置から得られる印字の完了情報を検知する検知手段と、前記印字の完了情報と前記一致情報を元に該ネットワークインタフェース装置の一部に対するクロック供給をオン／オフ制御するオン／オフ制御手段と、前記オン／オフ制御手段により前記印字の完了情報を検知した後、更に前記一致情報と前記記憶手段内の制御情報／印字情報の無い事を判断し、処理すべき情報が検出されなければ、前記オン／オフ制御手段により、前記クロック供給を停止するクロック供給停止手段とを有し、前記一致手段により、一致が得られれば、前記オン／オフ制御手段により、前記クロック供給を開始する事を特徴とする。
【０００９】
また、請求項１に記載のネットワークインタフェース装置であって、実時間計時手段と、前記実時間計時手段への実時間設定手段と、前記実時間計時手段からの実時間読み出し手段と、前記読み出し手段により読み出した実時間データに基づいて前記オン／オフ制御手段を有効／無効ならしめる手段と、前記無効ならしめる手段は、前記オン／オフ制御手段がオンの時のみ動作する事を特徴とする。
【００１０】
さらに、請求項１又は２に記載のネットワークインタフェース装置であって、前記ネットワークと該ネットワークインタフェース装置間の通信スピードを監視する手段とを備え、前記通信スピードによって、前記ネットワークインタフェース装置の一部に対し、供給する前記クロックの周波数を変更する事を特徴とする。
【００１１】
【発明の実施の形態】
〔第１実施形態〕
図１は、本発明に係るネットワークインタフェース装置を適用可能な印刷システムの一例を示すブロック図である。
【００１２】
図において、１００，１０１はワークステーションで、ネットワーク１０４を介して、ネットワークインタフェース装置１０２に対し、印字情報を双方向に送受信できる。ネットワークインタフェース装置１０２は、ワークステーション１００、１０１に対し、ネットワーク１０４を介して印字情報を送受信し、それを元にプリンタに対し、印字情報を送受信できる。
【００１３】
１０３はプリンタで、ネットワータインタフェース装置１０２を内蔵している。ネットワーク１０４は、ワークステーション１００，１０１とネットワークインタフェース装置１０２の間で双方向にデータ送受信をする。
【００１４】
図２は、本発明の第１実施形態を示すネットワークインタフェース装置の内部構成を説明するブロック図である。
【００１５】
図において、２０１はプリンタインタフェース部で、プリンタ１０３との通信処理を行う。２０２はネットワークインタフェース制御部である。２０３はクロック出力制御部で、プリンタ１０３、プリンタインタフェース部２０１、ネットワークＩ／Ｆ制御部２０２へのクロック信号２２３の送出を制御する。
【００１６】
２０３はクロック出力制御部で、メモリ２０６，宛先アドレス一致検出部２０５，ネットワーク制御部２０４，プリント完了検出部２０７，パワーセーブ制御部２０８に常時クロック信号２２２を供給する。また、クロック出力制御部２０３は、クロック出力制御部２０３でＯＮ／ＯＦＦ制御されることによりクロック信号２２３を生成して、クロック信号２２３をプリンタインタフェース部２０１，ネットワークＩ／Ｆ制御部２０２へ供給する。
【００１７】
ネットワーク制御部２０４は、ＬＡＮとの通信をインタフェースする。宛先アドレス一致検出部２０５は、ＬＡＮから送られてきたパケットデータの宛先アドレスと当該ネットワークインタフェース装置の宛先アドレスを比較する。
【００１８】
プリント完了検出部２０７は、全ての印字が終了したかどうかを判断する。パワーセーブ制御部２０８は、クロック出力制御部２０３を制御し、パワーセーブを行う。
【００１９】
２１１〜２１６はコミュニケーションライン、２２１はネットワークスピード信号で、当該ネットワークインタフェース装置１０２で選択されているＬＡＮ上の通信スピードを示す信号である。
【００２０】
２２４はローパルス信号で、プリント完了検出部２０７がプリント完了検出状態で、直前の宛先アドレス一致信号がアクテブで無かった場合に、クロック信号２２３を停止させるためにパワーセーブ制御部２０８よりクロック出力制御部２０３へ出力される。
【００２１】
２２５は宛先アドレス一致信号で、ネットワークインタフェース装置１０２の宛先アドレスとＬＡＮで受信したパケットデータの宛先アドレスが一致した時にハイ状態となる信号で、宛先アドレス一致検出部２０５よりパワーセーブ制御部２０８へ出力される。
【００２２】
２２６はタイミング信号で、ＬＡＮからパケットデータが受信されたかどうかの判断と、宛先アドレス一致検出のためにパワーセーブ制御部２０８からネットワーク制御部２０４に対して出力される。２２７はローパルス信号で、電源オン直後にパワーセーブ制御部２０８よりクロック出力制御部２０３に対して出力される。
【００２３】
図３は、図２に示した各信号の出力状態を説明するタイミングチャートである。
【００２４】
図４は、図２に示したクロック出力制御部２０３の構成を説明するブロック図であり、図２と同一のものには同一の符号を付してある。
【００２５】
図において、３０１は発振部で、１０ＭＨｚのクロックラインまたは２０ＭＨｚのクロックラインを介して１０ＭＨｚのクロック信号をアンドゲート３０４に対して、２０ＭＨｚのクロック信号をアンドゲート３０５に対して出力する。
【００２６】
３０２はセレクタで、ネットワークスピード信号２２１に基づき、１０ＭＨｚあるいは２０ＭＨｚのいずれかのクロック信号が選択されて、クロック信号２２３としてプリンタインタフェース部２０１あるいはネットワークＩ／Ｆ制御部２０２に出力される。
【００２７】
３０３はフリップフロップ（Ｆ／Ｆ）で、ローパルス信号３０６に基づくクロック出力Ｑを発信部３０１に出力する。
【００２８】
図５は、図２に示した宛先アドレス一致検出部２０５のアドレス一致検出機構を説明する概念図である。
【００２９】
図において、４０１はパケットデータで、図２に示したＬＡＮから受信し、ネットワーク制御部２０４を介して受信する。
【００３０】
なお、パケットデータ４０１は印刷関連データ４０２と宛先アドレス４０３と発信元アドレス４０４等より構成されている。
【００３１】
４０５は宛先アドレス比較レジスタで、宛先アドレス４０３と比較し、当該ネットワークインタフェース装置１０２に対し、送られてきているかどうかを判断するための当該ネットワークインタフェース装置１０２に対する宛先アドレスを保持している。
【００３２】
４０７は一致検出回路で、受信されるパケットデータ４０１の宛先アドレス４０３とネットワークインタフェース装置１０２の宛先アドレスが保持されている宛先アドレス比較レジスタ４０５の一致を検出する。
【００３３】
上記のように構成されたネットワークインタフェース装置において、図２に示したネットワークインタフェース制御部２０２からプリント完了通知がプリント完了検出部２０７に通知されると、プリント完了検出部２０７は、パワーセーブ制御部２０８にプリント完了検知情報を送る。
【００３４】
一方、ネットワーク制御部２０４は、図３に示すように、信号２２６のタイミングＡ１、Ａ２…ＡＸでワークステーションからの印字情報がネットワーク１０４を介して伝送されてきているかをチェックする（一定のインタバル毎に伝送されてきているかをチェックする）。
【００３５】
また、図３に示したタイミングＢ１、Ｂ２…ＢＸで伝送されてきているデータが、ネットワークインタフェース装置１０２に対してかどうかをチェックする。つまり、図２に示した宛先アドレス一致検出部２０５で、図５に示すように、受信したパケットデータ４０１の宛先アドレス４０３とネットワークインタフェース装置１０２の宛先アドレスが保持されている宛先アドレス比較レジスタ４０５を図３に示したタイミングＢ１、Ｂ２…ＢＸのタイミングで一定時間毎にチェックする。
【００３６】
図３に示した信号２２７のタイミングＣ１、Ｃ２…ＣＸでは、図４に示したフリップフロップ３０３をプリセットでき、ネットワークインタフェース装置１０２のプリンタインタフェース部２０１、ネットワークインタフェース制御部２０２とプリンタ１０３へのクロック信号２２３の供給を開始する。このプリセット処理は、前記宛先アドレスが一致した時とネットワークインタフェース装置１０２、プリンタ１０３の電源投入の時に発生する。
【００３７】
図３に示したクロック２２４のタイミングＤ１、Ｄ２…ＤＸでは、図４に示したフリップフロップ３０３を「Ｌｏｗ」出力に変えることができる。そして、ネットワークインタフェース装置１０２のプリンタインタフェース部２０１、ネットワークインタフェース制御部２０２とプリンタ１０３へのクロック信号１の供給を停止する。
【００３８】
このＬｏｗ出力処理は、プリント完了通知が有るとき、タイミングＢ１、Ｂ２…ＢＸで宛先アドレスが一致していないとき、あるいはメモリに印字情報が残っていない時に実行される。
【００３９】
図４に示したネットワークスピード信号２２１は、ネットワーク制御部２０４からネットワークとの通信スピードに基づいて出力される。クロック出力制御部２０３では、この信号によりクロック信号２２３に出力されるクロックの出力を選択する。つまり、受信するネットワーク１０４のスピードが早ければ、クロック信号２２３にスピードの早いクロックを選択出力し、ネットワークインタフェース制御部２０２，プリンタインタフェース部２０１，プリンタ１０３の処理スピードをネットワークスピードの能力に適合させて動作させる。
【００４０】
以下、図６に示すフローチャートを参照して、図１に示したワークステーション１００、１０１の動作について説明する。なお、システムにおいてすべての装置の電源入／切は同時に行われるものとする。
【００４１】
図６は、本発明に係る情報処理装置における第１のデータ処理手順の一例を示すフローチャートである。なお、Ｓ６０１〜Ｓ６０６は各ステップを示す。
【００４２】
先ず、ワークステーションに電源が投入されると、ステップＳ６０１で、初期設定が行われる。そして、ステップＳ６０２で、操作者により文書作成（１）か、印字（２）かが選択される。
【００４３】
ここで、文書作成（１）が選択された場合、ステップＳ６０５に進み、操作者はワークステーションのアプリケーションを実行して文書作成を行う。
【００４４】
次に、ステップＳ６０６で、作成した文書情報をメモリ上に保存し、ステップＳ６０２に戻る。
【００４５】
一方、ステップＳ６０２で、印字（２）が選択された場合は、ステップＳ６０３で、操作者はワークステーションで印字する文書を選択する。その後、ステップＳ６０４で、ワークステーションはその選択された文書データを印字情報として、ネットワーク１０４を介してネットワークインタフェース装置１０２に送る。その後、ステップＳ６０２に遷移する。
【００４６】
図７は、本発明に係るネットワークインタフェース装置における第１のデータ処理手順の一例を示すフローチャートである。なお、Ｓ７０１〜Ｓ７０６は各ステップを示す。
【００４７】
先ず、ネットワークインタフェース装置１０２に電源が投入されると、ステップＳ７０１で、初期設定を行う。その後、ステップＳ７０２で、ネットワーク１０４から印字情報が送られてきたかどうかを一定時間毎（図３に示したタイミングＡ１、Ａ２…ＡＸ）にチェックし、印字情報が受信されていないと判断した場合は、ステップＳ７０２に戻る。
【００４８】
一方、ステップＳ７０２で、印字情報が受信されていると判断した場合は、ステップＳ７０３で、ネットワークインタフェース制御部２０２は、ネットワーク制御部２０４に受信されたデータをメモリ２０６に移す。その後、ステップＳ７０４で、ネットワークインタフェース制御部２０２は、メモリ２０６の印字情報をプリンタ１０３に送る。
【００４９】
次に、ステップＳ７０５で、プリンタ１０３からのプリント完了通知を待ち、プリント完了通知がきたら、ステップＳ７０６で、プリント完了通知をプリント完了検出部２０７に送り、その後、ステップＳ７０２の処理に戻る。
【００５０】
図８は、本発明に係る印刷装置におけるデータ処理手順の一例を示すフローチャートである。なお、Ｓ８０１〜Ｓ８０４は各ステップを示す。
【００５１】
先ず、プリンタ１０３に電源が投入されると、ステップＳ８０１で、初期設定を行う。次に、ステップＳ８０２で、ネットワークインタフェース装置１０２から印字情報が送られてきたかをチェックし、ネットワークインタフェース装置１０２から印字情報が送られてきたと判断した場合は、ステップＳ８０３で、送られてきた印字情報に従い印字処理を行う。
【００５２】
そして、ステップＳ８０４で、プリントが完了したらネットワークインタフェース装置１０２に対し、図２に示したプリンタインタフェース部２０１を介してプリント完了を通知し、その後Ｓ８０２に戻る。
【００５３】
〔第２実施形態〕
上記第２実施形態では、第１実施形態と比較し、ハードウエア的には、図９に示すようにネットワークインタフェース装置内に実時間計時部９０１が追加されただけが異なる。
【００５４】
図９は、本発明の第２実施形態を示すネットワークインタフェース装置の構成を説明するブロック図であり、図２と同一のものには同一の符号を付してある。
【００５５】
図１０は、本発明に係るネットワークインタフェース装置における第２のデータ処理手順の一例を示すフローチャートであり、パワーセーブ制御部２０８のデータ処理手順に対応する。なお、Ｓ１０１〜Ｓ１０９は各ステップを示す。
【００５６】
まず、システムの電源がＯＮとなると、ステップＳ１０１で、初期設定を行う。次に、ステップＳ１０２で、実時間計時部９０１へ実時間を入力するかどうかを操作者に促し、ＮＯならばステップＳ１０４へ進み、ＹＥＳなら、ステップＳ１０３で、操作者は年／月／日／秒を入力する。
【００５７】
次に、ステップＳ１０４で、１日の内で、いつパワーセーブを有効にするかどうかを判断し、ＮＯならばステップＳ１０６以降へ進み、ＹＥＳならば、ステップＳ１０５で、パワーセーブモードを有効にする開始時間「ＸＸ時ＸＸ分」と、無効にする時間「ＹＹ時ＹＹ分」を入力する。
【００５８】
その後、ステップＳ１０６に遷移し、現在時刻がパワーセーブ開始時間かどうかを判断し、ＹＥＳならばステップＳ１０７で、パワーセーブモードに入り、第１実施形態で詳述したように、クロック出力制御部２０３をコントロールし、クロック出力制御部２０３によってパワーセーブを行う。
【００５９】
そして、パワーセーブ処理を行いながら、ステップＳ１０８で、現在時刻がパワーセーブモード終了時間かどうかを判断し、ＹＥＳなら、ステップＳ１０９で、パワーセーブ処理を終了し、ステップＳ１０６に遷移する。
【００６０】
以下、図１１に示すメモリマップを参照して本発明に係るネットワークインタフェース装置で読み出し可能なデータ処理プログラムの構成について説明する。
【００６１】
図１１は、本発明に係るネットワークインタフェース装置で読み出し可能な各種データ処理プログラムを格納する記憶媒体のメモリマップを説明する図である。
【００６２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００６３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００６４】
本実施形態における図６〜図８，図１０に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００６５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００６６】
この場合、記憶媒体から読み出されたプログラムコード自体が本発明の新規な機能を実現することになり、そのプログラムコードを記憶した記憶媒体は本発明を構成することになる。
【００６７】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００６８】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００６９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７０】
【発明の効果】
以上説明したように、本発明に係る第１の発明によれば、接続されるプリンタと当該ネットワークインタフェース装置のどちらかに処理すべき情報が残っているかどうかと、最後に宛先アドレスの一致検出の結果を判断することにより、完全に処理すべき情報が無いことを確認でき、その後一部の不要となるクロック供給を停止させるので、プリント処理に問題の発生すること無く、消費電力を低減させることができる。
【００７１】
また、宛先アドレス一致の検出又は、電源オン直後に前記クロックの供給を開始するため、プリント処理のスピード低下を最低限に抑えることができる。
【００７２】
本発明に係る第２の発明によれば、一日の内で、あまり使うことの少ない時間帯だけに、操作者が、前記クロック停止を設定すれば、その時間帯だけ、消費電力を抑え、よく使われる時間帯は、なんらスピードを低下させることなく印字することができる。
【００７３】
本発明に係る第３の発明によれば、当該装置の通信するネットワークスピードに合致した当該装置の性能がだせるクロックを常に選択使用することができ、ネットワークスピードと当該装置の処理スピードをあわせながら、余分な当該装置の電力消費を抑えることができる。
【図面の簡単な説明】
【図１】本発明に係るネットワークインタフェース装置を適用可能な印刷システムの一例を示すブロック図である。
【図２】本発明の第１実施形態を示すネットワークインタフェース装置の内部構成を説明するブロック図である。
【図３】図２に示した各信号の出力状態を説明するタイミングチャートである。
【図４】図２に示したクロック出力制御部の構成を説明するブロック図である。
【図５】図２に示した宛先アドレス一致検出部のアドレス一致検出機構を説明する概念図である。
【図６】本発明に係る情報処理装置における第１のデータ処理手順の一例を示すフローチャートである。
【図７】本発明に係るネットワークインタフェース装置における第１のデータ処理手順の一例を示すフローチャートである。
【図８】本発明に係る印刷装置におけるデータ処理手順の一例を示すフローチャートである。
【図９】本発明の第２実施形態を示すネットワークインタフェース装置の構成を説明するブロック図である。
【図１０】本発明に係るネットワークインタフェース装置における第２のデータ処理手順の一例を示すフローチャートである。
【図１１】本発明に係るネットワークインタフェース装置で読み出し可能な各種データ処理プログラムを格納する記憶媒体のメモリマップを説明する図である。
【符号の説明】
１００，１０１　ワークステーション
１０２　ネットワークインタフェース装置
１０３　プリンタ
１０４　ネットワーク
２０１　プリンタインタフェース部
２０２　ネットワークインタフェース制御部
２０３　クロック出力制御部
２０４　ネットワーク制御部
２０５　宛先アドレス一致検出部
２０６　メモリ
２０７　プリント完了検出部
２０８　パワーセーブ制御部
【図１】
2004017387.tif 000003
【図２】
2004017387.tif 000004
【図３】
2004017387.tif 000005
【図４】
2004017387.tif 000006
【図５】
2004017387.tif 000007
【図６】
2004017387.tif 000008
【図７】
2004017387.tif 000009
【図８】
2004017387.tif 000010
【図９】
2004017387.tif 000011
【図１０】
2004017387.tif 000012
【図１１】
2004017387.tif 000013